(57)【特許請求の範囲】
【請求項１】
１つの昇降路内で使用され、連結された第１のかごと第２のかごとを有し、各かごが両開きドアを有するダブルデッキエレベータのドア装置において、
エレベータのドアを開閉する動力を供給するモータと、
このモータを制御する制御装置と、
前記モータの動力を、前記第１のかごの前記両開きドアの一方のドアに伝達する動力伝達手段と、
前記第１のかごの前記両開きドアの一方のドアの開閉動作を他方のドアに伝達する索状体と、
前記第１のかごの一方のドアと前記第２のかごの一方のドアとを直接連結することにより、前記第１のかごの一方のドアの開閉動作を前記第２のかごの一方のドアに伝達する第１の連結金具と、
前記第１のかごの他方のドアと前記第２のかごの他方のドアとを直接連結することにより、前記第１のかごの他方のドアの開閉動作を前記第２のかごの他方のドアに伝達する第２の連結金具と、
を備えたことを特徴とするダブルデッキエレベータのドア装置。
【請求項２】
１つの昇降路内で使用され、連結された第１のかごと第２のかごとを有し、各かごが両開きドアを有するダブルデッキエレベータのドア装置において、
エレベータのドアを開閉する動力を供給するモータと、
このモータを制御する制御装置と、
前記第１のかごの前記両開きドアの一方のドアの開閉動作を、他方のドアに伝達する第１の索状体と、
前記第２のかごの前記両開きドアの一方のドアの開閉動作を、他方のドアに伝達する第２の索状体と、
前記モータの動力を前記第１の索状体に伝達する第３の索状体と、
この第３の索状体と第１の索状体との間の動力伝達を断続する第１のクラッチと、
前記第３の索状体の動力を前記第２の索状体に伝達する第４の索状体と、
前記第３の索状体と前記第４の索状体との間の動力伝達を断続する第２のクラッチと、
前記第１のかごの他方のドア側に設けられ、前記第１の索状体を介して前記第１のかごのドアを閉方向に付勢する第１の錘と、
前記第２のかごの他方のドア側に設けられ、前記第２の索状体を介して前記第２のかごのドアを閉方向に付勢する第２の錘と、
を備えたことを特徴とするダブルデッキエレベータのドア装置。
【請求項３】
前記モータと前記制御装置は、上下に配設された前記２つのかごに対して、上側のかごの上部、前記２つのかごの間、下側のかごの下部、のいずれかに設けられていることを特徴とする請求項２記載のダブルデッキエレベータのドア装置。
【請求項４】
１つの昇降路内で使用され、連結された第１のかごと第２のかごとを有し、各かごが両開きドアを有するダブルデッキエレベータのドア装置において、
エレベータのドアを開閉する動力を供給するモータと、
このモータを制御する制御装置と、
前記第１のかごの前記両開きドアの一方のドアの開閉動作を、他方のドアに伝達する第１の索状体と、
前記第２のかごの前記両開きドアの一方のドアの開閉動作を、他方のドアに伝達する第２の索状体と、
前記モータの動力を前記第１の索状体に伝達する第３の索状体と、
この第３の索状体と第１の索状体との間の動力伝達を断続する第１のクラッチと、
前記第３の索状体の動力を前記第２の索状体に伝達する第４の索状体と、
前記第４の索状体と前記第２の索状体との間の動力伝達を断続する第２のクラッチと、
前記第１のかごの他方のドア側に設けられ、前記第１の索状体を介して前記第１のかごのドアを閉方向に付勢する第１の錘と、
前記第２のかごの他方のドア側に設けられ、前記第２の索状体を介して前記第２のかごのドアを閉方向に付勢する第２の錘と、
を備えたことを特徴とするダブルデッキエレベータのドア装置。
【請求項５】
１つの昇降路内で使用され、連結された第１のかごと第２のかごとを有し、各かごが両開きドアを有するダブルデッキエレベータのドア装置において、
エレベータのドアを開閉する動力を供給するモータと、
このモータを制御する制御装置と、
前記第１のかごの前記両開きドアの一方のドアの開閉動作を、他方のドアに伝達する第１の索状体と、
前記第２のかごの前記両開きドアの一方のドアの開閉動作を、他方のドアに伝達する第２の索状体と、
前記モータの動力を前記第１の索状体に伝達する第３の索状体と、
この第３の索状体と第１の索状体との間の動力伝達を断続する第１のクラッチと、
前記モータの動力を逆転して前記第１の索状体に伝達するたすき掛けされた第４の索状体と、
この第４の索状体と第１の索状体との間の動力伝達を断続する第２のクラッチと、
前記第３の索状体又は第４の索状体の動力を前記第２の索状体に伝達する第５の索状体と、
前記第３の索状体と前記第５の索状体との間の動力伝達を断続する第３のクラッチと、
前記第４の索状体と前記第５の索状体との間の動力伝達を断続する第４のクラッチと、
を備えたことを特徴とするダブルデッキエレベータのドア装置。
【請求項６】
１つの昇降路内で使用され、連結された第１のかごと第２のかごとを有し、各かごが両開きドアを有するダブルデッキエレベータのドア装置において、
エレベータのドアを開閉する動力を供給するモータと、
このモータを制御する制御装置と、
前記第１のかごの前記両開きドアの一方のドアの開閉動作を、他方のドアに伝達する第１の索状体と、
前記第２のかごの前記両開きドアの一方のドアの開閉動作を、他方のドアに伝達する第２の索状体と、
前記モータの動力を前記第１の索状体に伝達する第３の索状体と、
この第３の索状体と第１の索状体との間の動力伝達を断続する第１のクラッチと、
前記モータの動力を歯車を利用して逆転し、前記第１の索状体に伝達する第４の索状体と、
この第４の索状体と第１の索状体との間の動力伝達を断続する第２のクラッチと、
前記第３の索状体又は第４の索状体の動力を前記第２の索状体に伝達する第５の索状体と、
前記第３の索状体と前記第５の索状体との間の動力伝達を断続する第３のクラッチと、
前記第４の索状体と前記第５の索状体との間の動力伝達を断続する第４のクラッチと、
を備えたことを特徴とするダブルデッキエレベータのドア装置。
【請求項７】
１つの昇降路内で使用され、連結された第１のかごと第２のかごとを有し、各かごが両開きドアを有するダブルデッキエレベータのドア装置において、
エレベータのドアを開閉する動力を供給するモータと、
このモータを制御する制御装置と、
前記第１のかごの前記両開きドアの一方のドアの開閉動作を、他方のドアに伝達する第１の索状体であって、前記両開きドアの一方の側と他方の側とにそれぞれ設けられた２つの回転体の間に配置された第１の索状体と、
前記第２のかごの前記両開きドアの一方のドアの開閉動作を、他方のドアに伝達する第２の索状体であって、前記両開きドアの一方の側と他方の側とにそれぞれ設けられた２つの回転体の間に配置された第２の索状体と、
前記モータの動力を前記第１の索状体の一方の側の回転体に伝達する第３の索状体と、
この第３の索状体と前記第１の索状体の一方の側の回転体との間の動力伝達を断続する第１のクラッチと、
前記モータの動力を逆転して前記第１の索状体の他方の側の回転体に伝達するたすき掛けされた第４の索状体と、
この第４の索状体と前記第１の索状体の他方の側の回転体との間の動力伝達を断続する第２のクラッチと、
前記第１の索状体の一方の回転体と前記第２の索状体の一方の回転体との間に設けられ、前記第３の索状体の動力を前記第２の索状体に伝達する第５の索状体と、
前記第１の索状体の他方の回転体と前記第２の索状体の他方の回転体との間に設けられ、前記第４の索状体の動力を前記第２の索状体に伝達する第６の索状体と、
前記第３の索状体と前記第５の索状体との間の動力伝達を断続する第３のクラッチと、
前記第４の索状体と前記第６の索状体との間の動力伝達を断続する第４のクラッチと、
を備えたことを特徴とするダブルデッキエレベータのドア装置。
【発明の詳細な説明】
【０００１】
【発明の属する技術分野】
本発明は１つの昇降路に２つの連結したかごを有するダブルデッキエレベータのドア装置に関する。
【０００２】
【従来の技術】
図８は従来のダブルデッキエレベータのドア装置を示す図である。この図において、ダブルデッキエレベータ１は、かご枠１１の中央部に、上かご１３と下かご１５とを横方向に仕切る床受枠１７を有している。上かご１３の上部には、ドアモータ１９とドアモータ制御装置２１が設けられており、ドアモータ１９からドアリンク２３を介して左カードアパネル２５を駆動するようになっている。この左カードアパネル２５の動きは連動索状体２７を介して右カードアパネル２９に伝達され、両開きのドアを駆動するようになっている。下かご１５も同様に下かご上部にドタモータ１９とドアモータ制御装置２１を有しており、上かごと同じ機構でカードアパネル２５、２９を駆動している。
【０００３】
【発明が解決しようとする課題】
このように、従来のダブルデッキエレベータ１は、上かご１３と下かご１５のそれぞれに１つずつのドアモータ１９及びドアモータ制御装置２１が必要になる。従って、高価でかつ重いドアモータと制御装置が２つ必要になり、かご重量が重くなり、巻上機が大きくなり高価になる。また、かご枠１１の寸法が大きくなり、階高が高くなり、昇降路寸法が大きくなる。このため、ビル全体のスペースの活用が不十分になるという課題があった。
【０００４】
本発明は、このような点を考慮してなされたものであって、１つのドアモータと１つのドア制御装置で、上かごと下かごを開閉できるダブルデッキエレベータのドア装置を提供することを目的とする。
【課題を解決するための手段】
【０００５】
本発明は、１つの昇降路内で使用され、連結された第１のかごと第２のかごとを有し、各かごが両開きドアを有するダブルデッキエレベータのドア装置において、エレベータのドアを開閉する動力を供給するモータと、このモータを制御する制御装置と、前記モータの動力を、前記第１のかごの前記両開きドアの一方のドアに伝達する動力伝達手段と、前記第１のかごの前記両開きドアの一方のドアの開閉動作を他方のドアに伝達する索状体と、前記第１のかごの一方のドアと前記第２のかごの一方のドアとを直接連結することにより、前記第１のかごの一方のドアの開閉動作を前記第２のかごの一方のドアに伝達する第１の連結金具と、前記第１のかごの他方のドアと前記第２のかごの他方のドアとを直接連結することにより、前記第１のかごの他方のドアの開閉動作を前記第２のかごの他方のドアに伝達する第２の連結金具と、を備えたことを特徴とするダブルデッキエレベータのドア装置である。
【０００６】
本発明は、１つの昇降路内で使用され、連結された第１のかごと第２のかごとを有し、各かごが両開きドアを有するダブルデッキエレベータのドア装置において、エレベータのドアを開閉する動力を供給するモータと、このモータを制御する制御装置と、前記第１のかごの前記両開きドアの一方のドアの開閉動作を、他方のドアに伝達する第１の索状体と、前記第２のかごの前記両開きドアの一方のドアの開閉動作を、他方のドアに伝達する第２の索状体と、前記モータの動力を前記第１の索状体に伝達する第３の索状体と、この第３の索状体と第１の索状体との間の動力伝達を断続する第１のクラッチと、前記第３の索状体の動力を前記第２の索状体に伝達する第４の索状体と、前記第３の索状体と前記第４の索状体との間の動力伝達を断続する第２のクラッチと、前記第１のかごの他方のドア側に設けられ、前記第１の索状体を介して前記第１のかごのドアを閉方向に付勢する第１の錘と、前記第２のかごの他方のドア側に設けられ、前記第２の索状体を介して前記第２のかごのドアを閉方向に付勢する第２の錘と、を備えたことを特徴とするダブルデッキエレベータのドア装置である。
【０００７】
本発明は、モータと制御装置は、上下に配設された２つのかごに対して、上側のかごの上部、２つのかごの間、下側のかごの下部、のいずれかに設けられているダブルデッキエレベータのドア装置である。
【０００８】
本発明は、１つの昇降路内で使用され、連結された第１のかごと第２のかごとを有し、各かごが両開きドアを有するダブルデッキエレベータのドア装置において、エレベータのドアを開閉する動力を供給するモータと、このモータを制御する制御装置と、前記第１のかごの前記両開きドアの一方のドアの開閉動作を、他方のドアに伝達する第１の索状体と、前記第２のかごの前記両開きドアの一方のドアの開閉動作を、他方のドアに伝達する第２の索状体と、前記モータの動力を前記第１の索状体に伝達する第３の索状体と、この第３の索状体と第１の索状体との間の動力伝達を断続する第１のクラッチと、前記第３の索状体の動力を前記第２の索状体に伝達する第４の索状体と、前記第４の索状体と前記第２の索状体との間の動力伝達を断続する第２のクラッチと、前記第１のかごの他方のドア側に設けられ、前記第１の索状体を介して前記第１のかごのドアを閉方向に付勢する第１の錘と、前記第２のかごの他方のドア側に設けられ、前記第２の索状体を介して前記第２のかごのドアを閉方向に付勢する第２の錘と、を備えたことを特徴とするダブルデッキエレベータのドア装置である。
【０００９】
本発明は、１つの昇降路内で使用され、連結された第１のかごと第２のかごとを有し、各かごが両開きドアを有するダブルデッキエレベータのドア装置において、エレベータのドアを開閉する動力を供給するモータと、このモータを制御する制御装置と、前記第１のかごの前記両開きドアの一方のドアの開閉動作を、他方のドアに伝達する第１の索状体と、前記第２のかごの前記両開きドアの一方のドアの開閉動作を、他方のドアに伝達する第２の索状体と、前記モータの動力を前記第１の索状体に伝達する第３の索状体と、この第３の索状体と第１の索状体との間の動力伝達を断続する第１のクラッチと、前記モータの動力を逆転して前記第１の索状体に伝達するたすき掛けされた第４の索状体と、この第４の索状体と第１の索状体との間の動力伝達を断続する第２のクラッチと、前記第３の索状体又は第４の索状体の動力を前記第２の索状体に伝達する第５の索状体と、前記第３の索状体と前記第５の索状体との間の動力伝達を断続する第３のクラッチと、前記第４の索状体と前記第５の索状体との間の動力伝達を断続する第４のクラッチと、を備えたことを特徴とするダブルデッキエレベータのドア装置である。
【００１０】
本発明は、１つの昇降路内で使用され、連結された第１のかごと第２のかごとを有し、各かごが両開きドアを有するダブルデッキエレベータのドア装置において、エレベータのドアを開閉する動力を供給するモータと、このモータを制御する制御装置と、前記第１のかごの前記両開きドアの一方のドアの開閉動作を、他方のドアに伝達する第１の索状体と、前記第２のかごの前記両開きドアの一方のドアの開閉動作を、他方のドアに伝達する第２の索状体と、前記モータの動力を前記第１の索状体に伝達する第３の索状体と、この第３の索状体と第１の索状体との間の動力伝達を断続する第１のクラッチと、前記モータの動力を歯車を利用して逆転し、前記第１の索状体に伝達する第４の索状体と、この第４の索状体と第１の索状体との間の動力伝達を断続する第２のクラッチと、前記第３の索状体又は第４の索状体の動力を前記第２の索状体に伝達する第５の索状体と、前記第３の索状体と前記第５の索状体との間の動力伝達を断続する第３のクラッチと、前記第４の索状体と前記第５の索状体との間の動力伝達を断続する第４のクラッチと、を備えたことを特徴とするダブルデッキエレベータのドア装置である。
【００１１】
本発明は、１つの昇降路内で使用され、連結された第１のかごと第２のかごとを有し、各かごが両開きドアを有するダブルデッキエレベータのドア装置において、エレベータのドアを開閉する動力を供給するモータと、このモータを制御する制御装置と、前記第１のかごの前記両開きドアの一方のドアの開閉動作を、他方のドアに伝達する第１の索状体であって、前記両開きドアの一方の側と他方の側とにそれぞれ設けられた２つの回転体の間に配置された第１の索状体と、前記第２のかごの前記両開きドアの一方のドアの開閉動作を、他方のドアに伝達する第２の索状体であって、前記両開きドアの一方の側と他方の側とにそれぞれ設けられた２つの回転体の間に配置された第２の索状体と、前記モータの動力を前記第１の索状体の一方の側の回転体に伝達する第３の索状体と、この第３の索状体と前記第１の索状体の一方の側の回転体との間の動力伝達を断続する第１のクラッチと、前記モータの動力を逆転して前記第１の索状体の他方の側の回転体に伝達するたすき掛けされた第４の索状体と、この第４の索状体と前記第１の索状体の他方の側の回転体との間の動力伝達を断続する第２のクラッチと、前記第１の索状体の一方の回転体と前記第２の索状体の一方の回転体との間に設けられ、前記第３の索状体の動力を前記第２の索状体に伝達する第５の索状体と、前記第１の索状体の他方の回転体と前記第２の索状体の他方の回転体との間に設けられ、前記第４の索状体の動力を前記第２の索状体に伝達する第６の索状体と、前記第３の索状体と前記第５の索状体との間の動力伝達を断続する第３のクラッチと、前記第４の索状体と前記第６の索状体との間の動力伝達を断続する第４のクラッチと、を備えたことを特徴とするダブルデッキエレベータのドア装置である。
【００１２】
【発明の実施の形態】
以下、図面を参照しつつ本発明の実施の形態について説明する。図１は、本発明に係るダブルデッキエレベータの第１の実施の形態を示す。この図はダブルデッキエレベータのドア装置の構成を示す図である。この図において、ダブルデッキエレベータ３１は、かご枠３３の中央部に、上かご３５と下かご３７とを横方向に仕切る床受枠３９を有している。
【００１３】
上かご３５について説明すると、床受枠３９には、防振ゴム４１が取り付けられ、この防振ゴム４１の上には、かご床４５とカーシル４７が設けられている。
【００１４】
また、床受枠３９の両側には垂直方向に支え４９、４９が設けられ、この支え４９、４９にはマシンベース５１とレール取り付け５３とが固定されている。
【００１５】
マシンベース５１には、ドアモータ制御装置５５とドアマシン５７に取り付けられたドアモータ５９が設けられている。また、このマシンベース５１には、歯車６１、６３と、ドアリンク６５，６７，６９，７１が設けられている。そして、ドアモータ５９の回転力を歯車６１、６３とドアリンク６５、６７、６９、７１を介してドアに伝達するようになっている。
【００１６】
一方、レール取付５３には、レール７３、連動索状体７５が設けられ、連動索状体７５の両端には、左回転体７７、右回転体７９が設けられている。また、連動索状体７５には左ドアハンガー８１と右ドアハンガ８３が固定され、この左ドアハンガー８１、右ドアハンガー８３にはそれぞれ左カードアパネル８５、右カードアパネル８７が吊されている。これらカードアパネル８５、８７の下端は、カーシル４７にガイドされ、両ドアパネルの突き当て部には、左セフティ９１、と右セフティ９３が設けられている。また、左カードアパネル８５には、カードアとホールドアとの嵌合のためのカミソリ９５が設けられている。
【００１７】
一方、上がご３５の下には下かご３７が設けられている。この下かご３７には、上かご３５のドアモータ５９、ドアモータ制御装置５５、ドアマシン５７、マシンベース５１、歯車６１、６３、ドアリンク６５、６７、６９、７１は設けられていないが、その他の構成は、上かご３５と同一である。すなわち、下かご３７においても、上かご３５と同様の、床受枠１３９、防振ゴム１４１、かご床１４５、カーシル１４７、支え１４９、レール取り付け１５３、レール１７３、連動索状体１７５、左回転体１７７、右回転体１７９、左ドアハンガー１８１、右ドアガンガー１８３、左カードアパネル１８５、右カードアパネル１８７、カーシル１４７、左セフティ１９１、右セフティ１９３、カミソリ１９５が設けられている。このように、上かご３５と下かご３７の間に、ドアモータ５９、ドアモータ制御装置５５が設けられていないので、上かご３５と下かご３７との間隔Ｂは短く設定されている。一方、上かご３５のドアモータ５９の駆動力を下かご３７に伝達するために、上かご３５の右回転体７９と下かご３７の右回転体１７９との間には、連動索状体１００が巻回されている。この連動索状体１００によって、上かご３５の連動索状体７５の回転力を下かご３７の連動索状体へ１７５へ伝達することができる。
【００１８】
このような構成において、エレベータの上かご３５及び下かご３７がサービス階に到着すると、左カードアパネル８５に取り付けられたカミソリ９５がホールドアに取り付けられたインターロックに嵌合し、インターロックをはずすと共に左カードアパネル８５と左ホールドアパネルを結合する。そして、ドアモータ５９がドアモータ制御装置５５により反時計回りに回転すると、それに伴いドアリンク７１が反時計回りに動作し、左カードアパネル８５が左に移動する。すると、左ドアハンガ８１を介して連動索状体７５が矢印Ａの方向に動き、連動索状体７５に連結した右ドアハンガ８３が右に動く。そして、この右ドアハンガ８３が固定された右カードアパネル８７が右に移動してドアが開く、また、連動索状体７５の動きは右回転体７９を介して連動索状体１００に伝達され、この連動索状体１００の動きは、下かご３７の右回転体１７９を介して下かご３７の連動索状体１７５に伝達される。そして、この連動索状体１７５に伝達された動きは、左右のドアハンガー１８１、１８３に伝達され、左右のカードアパネル１８５、１８７が開く。
【００１９】
一方、ドアを閉じるときは、ドアモータを時計回りに回転させ、上記と逆の動作を行えばよい。このようにすることによって、上がご３５と下かご３７のドアを同時に開閉することができる。
【００２０】
このように、上記実施の形態にあっては、上かご３５の連動索状体７５と下かご３７の連動索状体１７５との間に、上かご３５の動力を下かご３７に伝達する連動索状体１００を設けているから、ドアモータ５９、ドアモータ制御装置５５を上かご３５の上に１セット設けるだけで、上かご３５、下かご３７のカードアパネル８５、８７、１８５、１８７を同時に開閉するることができる。従って、上かご３５と下かご３７の間に、重く嵩張るドアモータ５９およびドアモータ制御装置５５を設ける必要がなくなる。従って、エレベータの重量を軽減することによって、巻き上げ機を小型のものにすることができ、コストの削減を図るこができる。また、上かご３５と下かご３７との間のＢ寸法を小さくすることができるので、エレベータのかご枠の全長を短くすることができ、エレベータ自体の小型化を図ることができる。さらに、Ｂ寸法が小さくなることによって、ビルの各階間の寸法を小さくすることができる。従って、ビルのスペースを有効に活用することができるとともに、ビル設計の自由度を増加させることができる。
【００２１】
なお、この実施の形態において、上かご３５上部に設けたドアモータ５９及びドア制御装置５５を、上かご３５と下かご３７の中間に設けても同様の効果を得ることができる。さらに、このようにすることによって、展望用エレベータにおいては、外からエレベータを見る人に対して、エレベータの上部及び下部にドア装置が見えることを防止し、デザイン上エレベータをすっきり見せることができる。また、ドアモータ５９及びドアモータ制御装置５５を下かご３７下部に設けても、同様の効果を得ることができる。
【００２２】
図２は、本発明の第２の実施の形態を示す。この図において、図１に示す第１の実施の形態と同一構成の部分には同一符号を付してその説明を省略する。この図において、符号２００は、ダブルデッキエレベータをしめす。このダブルデッキエレベータ２００は、図１に示すダブルデッキエレベータ３１における連動索状体１００を有していない。その替わりに、このエレベータ２００は、上かご３５の左カードアパネル８５と下かご３７の左カードアパネル１８５とを直接連結する連結金具２０１と、上かご３５の右カードアパネル８７と下かご３７の右カードアパネル１８７とを連結する連結金具２０３とを有している。
【００２３】
このダブルデッキエレベータ２００は、このように構成されているので、下かご３７のカードアパネル１８５、１８７を連結金具２０１、２０３で直接駆動することができる。従って、上記第１の実施の形態のダブルデッキエレベータ３１と同様に、下かご３７のドアモータとドアモータ制御装置を省略することができ、軽量化、小型化を実現することができる。
【００２４】
図３は、本発明の第３の実施の形態を示す。この図において、図１に示す第１の実施の形態と同一構成の部分には同一符号を付してその説明を省略する。この図において、符号３００は、ダブルデッキエレベータをしめす。このダブルデッキエレベータ３００には、ドアモータの回転を上かごに伝達する連動索状体３０１が設けられている。この連動索状体３０１は、その一端に回転体３０３を有しており、この回転体３０３は、ドアモータ５９によって回転される歯車６１に噛み合っている。また、この連動索状体３０１は、その他端に回転体３０５を有している。一方、連動索状体７５は、その右端に右回転体３０７を有しており、連動索状体１００は、その上端に上回転体３０９を有している。また、連動索状体３０１の回転体３０５と連動索状体７５の右回転体３０７との間には、上かご用クラッチ３１１が設けられており、連動索状体３０１から連動索状体７５への動力を断続できるようになっている。さらに、連動索状体３０１の回転体３０５と連動索状体１００の上回転体３０９との間には、下かご用クラッチ３１３が設けられており、連動索状体３０１から連動索状体１００への動力を断続できるようになっている。
【００２５】
一方、上かご３５の連動索状体７５の左回転体７７と下かご３７の連動索状体１７５の左回転体１７７には、それぞれ錘３１５、３１７が巻回されている。そして、連動索状体７５、１７５を介してカードアパネル８５、８７、１８５、１８７を閉まる方向に付勢している。
【００２６】
このダブルデッキエレベータ３００は、このように構成されているので、上かご３５と下かご３７のドアを両方共に開く場合は、上かご用クラッチ３１１が回転体３０５と右回転体３０７とを連結し、下かご用クラッチ３１３が回転体３０５と上回転体３０９と連結する。そして、ドアモータ５９がドア制御装置５５により反時計回りに回転すると、連動索状体３０１が反時計回りに回転し、上かご用クラッチ３１１により連結された右回転体３０７が反時計回りに回転する。この回転は、連動索状体７５によって左カードアパネル８５と右カードアパネル８７に伝達され、両カードアパネルが開く。また、連動索状体３０１が反時計回りに回転すると、下かご用クラッチ３１３により連結された上回転体３０９が反時計回りに回転する。この回転は連動索状体１００によって、下かご３７の連動索状体１７５に伝達され、両カードアパネル１８５、１８７が開く。ドアが扉の開く限界位置にくると、クラッチが半クラッチの状態となり、ドアが開いた状態で保持される。ドアを閉じる時には、上かご用クラッチ３１１、下かご用クラッチ３１３を切り離し状態にすると、ドアは、重り３１５、３１７により一定速度で閉じる。
【００２７】
一方、片方のドアのみを開く場合、例えば上かご３５のカードアパネルのみ開く場合は、上かご用クラッチ３１１のみ作動させ、回転体３０５と右回転体３０７とを連結する。そして、ドアモータ５９を反時計回りに回転させると、前述したと同様にして上かご３５のカードアパネル８５、８７のみが開く。
【００２８】
また、上かご３５のドアが開いている最中に下かご３７のドアを開く場合は、下かご用クラッチ３１３を作動させ、回転体３０５と上回転体３０９とを連結すればよく、このようにすれば、上かごのドアが開いている最中に下かごのドアが開き始める。上かごのドアが開く限界位置にくると、上かご用クラッチ３１１が半クラッチの状態となり、上かごドアを開いた状態で保持するが、下かごのドアは開く動作を続ける。また、上かごドアを閉める時には、上かごクラッチ３１１を切り離せば、錘り３１５により上かごドアは閉じる。この時、下かごドアは、上かごドアとは無関係に動作する。
【００２９】
また、上かごドアと下かごドアが閉じている時に、一方又は両方のドアのセイフティ９１、９３、１９１、１９３が作動し、ドアがリオープンする時は、リオープンするドアのあるかご用のクラッチが連結状態になり、そのドアがリオープンする。
【００３０】
また、上かごドアと下かごドアが閉じた時には、上かご用と下かご用のクラッチを連結状態にし、モータの駆動軸の回転とドアの移動を直結する。このようにすることによって、モータのブレーキ力を上かごドアと下かごドアに伝達することができる。
【００３１】
このように、上記実施の形態においては、ドアモータ５９の回転力を連動索状体３０１から連動索状体７５と連動索状体１００に伝達し、それぞれ上かごドアと下かごドアを駆動するようにしているから、ドアモータ５９、ドアモータ制御装置５５を上かご３５の上に１セット設けるだけで、上かご３５、下かご３７のカードアパネル８５、８７、１８５、１８７を開閉するることができる。従って、上かご３５と下かご３７の間に、重く嵩張るドアモータ５９およびドアモータ制御装置５５を設ける必要がなく、エレベータを軽量化、小型化することができる。また、ドアモータ５９の回転力を連動索状体３０１から上かご用クラッチ３１１と下かご用クラッチ３１３を介して別々に上かごドアと下かごドアに伝達するようにしているから、上かごドアと下かどドアとをそれぞれ独立に開閉することができる。
【００３２】
なお、この実施の形態において、上かご３５上部に設けたドアモータ５９及びドア制御装置５５を、上かご３５と下かご３７の中間に設けても同様の効果を得ることができる。さらに、このようにすることによって、展望用エレベータにおいては、外からエレベータを見る人に対して、エレベータの上部及び下部にドア装置が見えることを防止し、デザイン上エレベータをすっきり見せることができる。また、ドアモータ５９及びドアモータ制御装置５５を下かご３７下部に設けても、同様の効果を得ることができる。
【００３３】
図４は、本発明の第４の実施の形態を示す。この図において、図３に示す第３の実施の形態と同一構成の部分には同一符号を付してその説明を省略する。この図において、符号４００は、ダブルデッキエレベータをしめす。このダブルデッキエレベータ４００では、連動索状体３０１の下端の回転体３０５と連動索状体１００の上回転体３０９とはクラッチを介さず直結している。また、連動索状体１００の下端に下回転体４０１を有しており、下かご３７の連動索状体１７５の右端に右回転体４０３を有している。そして、この下回転体４０１と右回転体４０３との間に下かご用クラッチ４０５が設けられている。なお、連動索状体３０１の回転体３０５と連動索状体７５の右回転体３０７との間の上かご用クラッチ３１１は、第３の実施の形態のダブルデッキエレベータ３００と同様に設けられている。
【００３４】
このようなダブルデッキエレベータ４００もダブルデッキエレベータ３００と同様の効果を奏する。
【００３５】
図５は、本発明の第５の実施の形態を示す。この図において、図３に示す第３の実施の形態と同一構成の部分には同一符号を付してその説明を省略する。この図において、符号５００は、ダブルデッキエレベータを示す。このダブルデッキエレベータ５００には、ドアモータの回転を上かごに伝達する連動索状体５０１が設けられている。この連動索状体５０１は、その一端に回転体３０３を有しており、この回転体３０３は、ドアモータ５９によって回転される歯車６１に噛み合っている。また、この連動索状体５０１は、その他端に回転体５０５を有している。また、このダブルデッキエレベータ５００には、たすき掛けしたケーブルによってドアモータの回転を逆転して上かごに伝達する連動索状体５０７が設けられている。この連動索状体５０７は、連動索状体５０１と同様にその一端に回転体３０３を有しており、ドアモータ５９によって回転される歯車６１に噛み合っている。また、この連動索状体５０７は、その他端に回転体５０９を有している。
【００３６】
一方、連動索状体７５は、その右端に右回転体３０７を有しており、連動索状体１００は、その上端に上回転体３０９を有している。また、連動索状体５０１の回転体５０５と連動索状体７５の右回転体３０７との間には、第１の上かご用クラッチ５１１が設けられており、連動索状体５０１から連動索状体７５への動力を断続できるようになっている。さらに、連動索状体５０１の回転体５０５と連動索状体１００の上回転体３０９との間には、第１の下かご用クラッチ５１３が設けられており、連動索状体５０１から連動索状体１００への動力を断続できるようになっている。
【００３７】
また、連動索状体５０７の回転体５０９と連動索状体７５の右回転体３０７との間には、第２の上かご用クラッチ５１５が設けられており、連動索状体５０７から連動索状体７５への動力を断続できるようになっている。さらに、連動索状体５０７の回転体５０９と連動索状体１００の上回転体３０９との間には、第２の下かご用クラッチ５１７が設けられており、連動索状体５０７から連動索状体１００への動力を断続できるようになっている。
【００３８】
このダブルデッキエレベータ５００は、このように構成されているので、上かご３５と下かご３７のドアを両方共開く場合は、第１の上かご用クラッチ５１１が回転体５０５と右回転体３０７とを連結し、第１の下かご用クラッチ５１３が回転体５０５と上回転体３０９と連結する。そして、ドアモータ５９がドア制御装置５５により反時計回りに回転すると、連動索状体５０１が反時計回りに回転し、第１の上かご用クラッチ５１１により連結された右回転体３０７が反時計回りに回転する。この回転は、連動索状体７５によって左カードアパネル８５と右カードアパネル８７に伝達され、両カードアパネルが開く。また、連動索状体５０１が反時計回りに回転すると、第１の下かご用クラッチ５１３により連結された上回転体３０９が反時計回りに回転する。この回転は連動索状体１００によって、下かご３７の連動索状体１７５に伝達され、両カードアパネル１８５、１８７が開く。なお、一方のクラッチのみ連結すれば、一方のドアのみを開くことは勿論可能である。
【００３９】
上かごと下かごのドアを共に閉じる時には、第２の上かご用クラッチ５１５が回転体５０９と右回転体３０７とを連結し、第２の下かご用クラッチ５１７が回転体５０９と上回転体３０９と連結する。そして、ドアモータ５９がドア制御装置５５により反時計回りに回転すると、連動索状体５０７で回転が逆転され、第２の上かご用クラッチ５１５により連結された右回転体３０７が時計回りに回転する。この回転は、連動索状体７５によって左カードアパネル８５と右カードアパネル８７に伝達され、両カードアパネルが閉じる。また、連動索状体５０７が逆回転すると、第２の下かご用クラッチ５１７により連結された上回転体３０９が時計回りに回転する。この回転は連動索状体１００によって、下かご３７の連動索状体１７５に伝達され、両カードアパネル１８５、１８７が閉じる。なお、一方のクラッチのみ連結すれば、一方のドアのみを閉じることは勿論可能である。
【００４０】
このように、上記実施の形態においては、ドアモータ５９の回転力を連動索状体５０１から、第１の上かご用クラッチ５１１と第１の下かご用クラッチ５１３を介して別々に上かごドアと下かごドアに伝達するようにし、また、ドアモータ５９の回転力をたすき掛けした連動索状体５０７から、第２の上かご用クラッチ５１５と第２の下かご用クラッチ５１７を介して別々に上かごドアと下かごドアに伝達するようにしている。従って、上かごドアと下かどドアとをそれぞれ独立に開くことができ、また、独立に閉じることができる。さらに、ドアを閉じるときにも、ドアモータ５９の駆動力を使用することができるので、確実に閉扉動作を行うことができる。
【００４１】
図６は、本発明の第６の実施の形態を示す。この図において、図５に示す第５の実施の形態と同一構成の部分には同一符号を付してその説明を省略する。この図において、符号６００は、ダブルデッキエレベータをしめす。このダブルデッキエレベータ６００には、ドアモータの回転を上かごに伝達する連動索状体６０１が設けられている。この連動索状体６０１は、その一端に回転体３０３を有しており、この回転体３０３は、ドアモータ５９によって回転される歯車６１に噛み合っている。また、この連動索状体６０１は、その他端に回転体６０５を有している。また、このダブルデッキエレベータ６００には、ドアモータの回転を逆転して上かごに伝達する連動索状体６０７が設けられている。この連動索状体６０７は、その一端に回転体６０９を有している。この回転体６０９はその歯車が回転体３０３の歯車に噛み合っており回転体３０３と逆に回転するようになっている。また、この連動索状体６０７は、その他端に回転体６１１を有している。
【００４２】
一方、連動索状体６０１の回転体６０５と連動索状体７５の右回転体３０７との間には、第１の上かご用クラッチ６１３が設けられており、連動索状体６０１から連動索状体７５への動力を断続できるようになっている。さらに、連動索状体６０１の回転体６０５と連動索状体１００の上回転体３０９との間には、第１の下かご用クラッチ６１５が設けられており、連動索状体６０１から連動索状体１００への動力を断続できるようになっている。
【００４３】
また、連動索状体６０７の回転体６１１と連動索状体７５の右回転体３０７との間には、第２の上かご用クラッチ６１７が設けられており、連動索状体６０７から連動索状体７５への動力を断続できるようになっている。さらに、連動索状体６０７の回転体６１１と連動索状体１００の上回転体３０９との間には、第２の下かご用クラッチ６１９が設けられており、連動索状体６０７から連動索状体１００への動力を断続できるようになっている。
【００４４】
このダブルデッキエレベータ６００は、第５の実施の形態のダブルデッキエレベータ５００のたすき掛けされた連動索状体を、独自の回転体６０９を有する連動索状体６０７に替えた点以外は、同一の構成である。従って、ダブルデッキエレベータ５００と同様の動作を行い、同様の効果を奏する。
【００４５】
図７は、本発明の第７の実施の形態を示す。この図において、図５に示す第５の実施の形態と同一構成の部分には同一符号を付してその説明を省略する。この図において、符号７００は、ダブルデッキエレベータをしめす。このダブルデッキエレベータ７００には、ドアモータの回転を上かごに伝達する連動索状体５０１が設けられている。この連動索状体５０１は、その一端に回転体３０３を有しており、この回転体３０３は、ドアモータ５９によって回転される歯車６１に噛み合っている。また、この連動索状体５０１は、その他端に回転体５０５を有しており、この回転体５０５は、連動索状体７５の右端部に位置している。また、このダブルデッキエレベータ７００には、たすき掛けしたケーブルによってドアモータの回転を逆転して上かごに伝達する連動索状体７０１が設けられている。この連動索状体７０１は、連動索状体５０１と同様にその一端に回転体３０３を有しており、ドアモータ５９によって回転される歯車６１に噛み合っている。また、この連動索状体７０１は、その他端に回転体７０３を有しおり、この回転体７０３は連動索状体７５の左端部に位置している。
【００４６】
一方、連動索状体７５は、その右端に右回転体３０７、左端に左回転体７０５を有しており、連動索状体１００は、その上端に上回転体３０９を有している。また、連動索状体７５の左端部から連動索状体１７５の左端部にかけて上下方向に連動索状体７０７が設けられている。この連動索状体７０７は、その上端に上回転体７０９を有している。また、この連動索状体７０７の下端の回転体は、連動索状体１７５の左端の回転体に連結されている。
【００４７】
また、連動索状体５０１の回転体５０５と連動索状体７５の右回転体３０７との間には、第１の上かご用クラッチ５１１が設けられており、連動索状体５０１から連動索状体７５への動力を断続できるようになっている。さらに、連動索状体５０１の回転体５０５と連動索状体１００の上回転体３０９との間には、第１の下かご用クラッチ５１３が設けられており、連動索状体５０１から連動索状体１００への動力を断続できるようになっている。
【００４８】
また、連動索状体７０１の回転体７０３と連動索状体７５の左回転体７０５との間には、第２の上かご用クラッチ７１１が設けられており、連動索状体７０１から連動索状体７５への動力を断続できるようになっている。さらに、連動索状体７０１の回転体７０３と連動索状体７０７の上回転体７０９との間には、第２の下かご用クラッチ７１３が設けられており、連動索状体７０１から連動索状体７０７への動力を断続できるようになっている。
【００４９】
このダブルデッキエレベータ７００は、このように構成されているので、上かご３５と下かご３７のドアを両方共開く場合は、第１の上かご用クラッチ５１１が回転体５０５と右回転体３０７とを連結し、第１の下かご用クラッチ５１３が回転体５０５と上回転体３０９と連結する。そして、ドアモータ５９がドア制御装置５５により反時計回りに回転すると、連動索状体５０１が反時計回りに回転し、第１の上かご用クラッチ５１１により連結された右回転体３０７が反時計回りに回転する。この回転は、連動索状体７５によって左カードアパネル８５と右カードアパネル８７に伝達され、両カードアパネルが開く。また、連動索状体５０１が反時計回りに回転すると、第１の下かご用クラッチ５１３により連結された上回転体３０９が反時計回りに回転する。この回転は連動索状体１００によって、下かご３７の連動索状体１７５に伝達され、両カードアパネル１８５、１８７が開く。なお、一方のクラッチのみ連結すれば、一方のドアのみを開くことは勿論可能である。
【００５０】
上かごと下かごのドアを共に閉じる時には、第２の上かご用クラッチ７１１が回転体７０３と左回転体７０５とを連結し、第２の下かご用クラッチ７１３が回転体７０３と上回転体７０９と連結する。そして、ドアモータ５９がドア制御装置５５により反時計回りに回転すると、連動索状体７０１で回転が逆転され、第２の上かご用クラッチ７１１により連結された左回転体７０５が時計回りに回転する。この回転は、連動索状体７５によって左カードアパネル８５と右カードアパネル８７に伝達され、両カードアパネルが閉じる。また、連動索状体７０１が逆回転すると、第２の下かご用クラッチ７１３により連結された上回転体７０９が時計回りに回転する。この回転は連動索状体７０７によって、下かご３７の連動索状体１７５に伝達され、両カードアパネル１８５、１８７が閉じる。なお、一方のクラッチのみ連結すれば、一方のドアのみを閉じることは勿論可能である。
【００５１】
このダブルデッキエレベータ７００は、第５の実施の形態のダブルデッキエレベータ５００のたすき掛けされた連動索状体５０７を、連動索状体７５の左回転体７０５にクラッチ７１１を介して接続するとともに、右側に上下方向に配設された連動索状体１００の他に左側にも上下方向に連動索状体７０７を設け、この連動索状体７０７に連動索状体７０１をクラッチ７１３を介して接続したものである。従って、図５に示す第５の実施の形態のダブルデッキエレベータ５００と同様の効果を奏する。
【００５２】
上記実施例では、センターオープン、ドアリンク機構のドアを用いて説明したが、サイドオープン又はその他のドア方式、チェーン駆動又はその他のモータ動力の伝達方法と、前記の実施例の組み合わせを行っても、代表実施例と何ら変わりのない効果が得られる。
【００５３】
【発明の効果】
以上説明したように、本発明によれば、上かごの索状体と下かごの索状体との間に、上かごの動力を下かごに伝達する索状体を設けているから、ドアモータ、ドアモータ制御装置を上かごの上に１セット設けるだけで、上かご、下かごのカードアパネルをそれぞれ開閉することができる。従って、上かごと下かごの間に、重く嵩張るドアモータおよびドアモータ制御装置を設ける必要がなく、従ってエレベータの重量を軽減することによって、巻き上げ機を小型のものにすることができる。また、上かごと下かごとの間の寸法を小さくすることができるので、エレベータのかご枠の全長を短くすることができ、エレベータ自体の小型化を図ることができる。
【図面の簡単な説明】
【図１】本発明に係る第１の実施の形態のダブルデッキエレベータのドア装置を示す。
【図２】本発明に係る第２の実施の形態のダブルデッキエレベータのドア装置を示す。
【図３】本発明に係る第３の実施の形態のダブルデッキエレベータのドア装置を示す。
【図４】本発明に係る第４の実施の形態のダブルデッキエレベータのドア装置を示す。
【図５】本発明に係る第５の実施の形態のダブルデッキエレベータのドア装置を示す。
【図６】本発明に係る第６の実施の形態のダブルデッキエレベータのドア装置を示す。
【図７】本発明に係る第７の実施の形態のダブルデッキエレベータのドア装置を示す。
【図８】従来のダブルデッキエレベータのドア装置を示す。
【符号の説明】
３１ ダブルデッキエレベータ
３５ 上かご
３７ 下かご
５５ ドアモータ制御装置
５９ ドアモータ
６５、６７、６９、７１ ドアリンク
７５ 連動索状体
８５ 左カードアパネル
８７ 右カードアパネル
１００ 連動索状体
１７５ 連動索状体
１８５ 左カードアパネル
１８７ 右カードアパネル
２００ ダブルデッキエレベータ
２０１ 連結金具
２０３ 連結金具
３００ ダブルデッキエレベータ
３０１ 連動索状体
３１１ 上かご用クラッチ
３１３ 下かご用クラッチ
３１５ 錘
３１７ 錘
４００ ダブルデッキエレベータ
４０５ 下かご用クラッチ
５００ ダブルデッキエレベータ
５０１ 連動索状体
５０７ 連動索状体
５１１ 第１の上かご用クラッチ
５１３ 第１の下かご用クラッチ
５１５ 第２の上かご用クラッチ
５１７ 第２の下かご用クラッチ
６００ ダブルデッキエレベータ
６０１ 連動索状体
６０７ 連動索状体
６１３ 第１の上かご用クラッチ
６１５ 第１の下かご用クラッチ
６１７ 第２の上かご用クラッチ
６１９ 第２の下かご用クラッチ
７００ ダブルデッキエレベータ
７０１ 連動索状体
７０７ 連動索状体
７１１ 第２の上かご用クラッチ
７１３ 第２の下かご用クラッチ
【図１】
0004303802.tif 000002
【図２】
0004303802.tif 000003
【図３】
0004303802.tif 000004
【図４】
0004303802.tif 000005
【図５】
0004303802.tif 000006
【図６】
0004303802.tif 000007
【図７】
0004303802.tif 000008
【図８】
0004303802.tif 000009